(57)【要約】【課題】ズームレンズおよびズームファインダを備えたカメラにおいて、特に至近距離撮影時におけるズームファインダの視野範囲と撮影画面のずれを減少させること、これをズーミング可能な全ての領域で実現すること。【解決手段】ズーミング駆動機構および該ズーミング駆動機構から独立したフォーカシング駆動機構を備えたズーム撮影レンズ系と、上記ズーミング駆動機構に連動してファインダ視野を変更するファインダ駆動機構を有するズームファインダ光学系を備えたカメラにおいて、上記フォーカシング駆動機構は、至近距離撮影域における動作により、上記ズーム撮影レンズ系のズーム状態に関わらず、上記ズームファインダ光学系の視野を広げる方向に上記ファインダ駆動機構を駆動する。【選択図】      図６
2006072264.tif 000002
【特許請求の範囲】
【請求項１】
ズーミング駆動機構および該ズーミング駆動機構から独立したフォーカシング駆動機構を備えたズーム撮影レンズ系と、上記ズーミング駆動機構に連動してファインダ視野を変更するファインダ駆動機構を有するズームファインダ光学系を備えたカメラにおいて、
上記フォーカシング駆動機構は、至近距離撮影域における動作により、上記ズーム撮影レンズ系のズーム状態に関わらず、上記ズームファインダ光学系の視野を広げる方向に上記ファインダ駆動機構を駆動する連動機構を備えたことを特徴とするカメラのファインダパララックス補正機構。
【請求項２】
上記ファインダ駆動機構は、ズームファインダ光学系の変倍レンズ群のカムフォロワが嵌るファインダ駆動用カム溝を備え、該ファインダ駆動用カム溝は、上記カムフォロワを拘束する二つの輪郭が、別体として形成された二つのカム部のそれぞれに形成され、該二つのカム部は、上記ズーミング駆動機構に連動して移動する方向に上記カム部が相対的に接離移動可能に形成され、上記連動機構は、上記フォーカシング駆動機構の至近距離撮影領域における動作に連動して、上記一方のカム部を上記各輪郭が離反する方向に移動させて上記ズームファインダ光学系の視野を広げる請求項１記載のカメラのファインダパララックス補正機構。
【請求項３】
上記両カム部は、弾性部材によって互いの輪郭が接近する方向に移動付勢されて所定間隔に保持され、上記ズーミング駆動機構からの駆動力は上記他方のカム部に伝達されて上記各カム部を一体に移動して上記ズームファインダの視野倍率を変更し、上記フォーカシング駆動機構の至近距離撮影領域における近距離方向の駆動力は、上記連動機構を介して上記一方のカム部に伝達されて該一方のカム部を上記弾性部材の付勢方向とは反対方向に移動させて上記ズームファインダ光学系の視野を広げる請求項２記載のカメラのファインダパララックス補正機構。
【請求項４】
上記ズームファインダ光学系の変倍レンズは、該変倍レンズを支持する部材に設けられたカムフォロワが上記一方のカム部の輪郭に当接する方向に弾性部材によって付勢され、一方のカム部の輪郭に当接した状態で、上記一方のカム部の移動に従って移動する請求項２記載のカメラのファインダパララックス補正機構。
【請求項５】
上記ファインダ光学系の光路内のピント面近傍位置と光路外に移動可能に支持された、至近距離撮影範囲を表示した補正視野枠と、上記フォーカシング駆動機構に連動して、上記至近距離撮影領域において上記補正視野枠をピント面近傍に挿入し、上記至近距離撮影領域外において上記補正視野枠を上記光路から待避させるマスク駆動機構を備えた請求項１から４のいずれか一項記載のカメラのファインダパララックス補正機構。
【発明の詳細な説明】
【技術分野】
【０００１】
本発明は、ズーム撮影光学系とズームファインダ光学系とが独立したカメラのファインダ装置、より具体的にはファインダパララックス補正機構に関する。
【背景技術】
【０００２】
焦点距離可変の撮影光学系を備えたいわゆるレンズシャッタカメラ、コンパクトカメラにおいて、ファインダ光学系と撮影光学系との視差、いわゆるファインダパララックスを補正するために、ファインダ視野内に至近距離撮影用の補正枠を設けたり、至近距離撮影時には補正視野マスクを進入させたりして視差を減少させる構成が知られている。
【０００３】
図１０に従来のレンズシャッタカメラにおけるファインダ視野と実際の撮影画面との関係を示した。このレンズシャッタカメラは、撮影レンズのほぼ真上にファインダ光学系が配置されている。実線の枠はファインダ視野枠６１を示し、二点鎖線の枠はファインダ視野内における撮影枠６２を示し、破線は至近距離撮影時に実際に撮影される撮影画面６３を示している。ファインダ視野枠６１内の中央よりやや上方に左右に引かれた横線は、至近距離撮影時の近距離補正枠６１ａを示している。
【発明の開示】
【発明が解決しようとする課題】
【０００４】
しかしながら従来の視差補正機構は、特に画面の短辺下側の撮影画面外のケラレは考慮していない場合が多く、この場合ケラレの影響を撮影者が把握できなかった。図１０に示した従来例は、至近距離撮影時において撮影画面６３から外れるファインダ視野枠６１内の範囲を重視して近距離補正枠６１ａを設けていたが、撮影画面の底辺部はファインダ視野枠６１でケラレていて、実際に撮影される被写体全部を観察することができなかった。
【０００５】
また、ズーミング駆動機構に連動して長焦点距離時のみ至近距離撮影を可能にしたカメラにおいて、ファインダズーミングカム溝を、最長焦点を越えた領域を広角方向に変化させて、至近距離撮影時にはこの広角領域まで駆動することによって補正するものはあったが、ズーミングの全領域における補正はされていなかった。
【０００６】
本発明は、ズームレンズおよびズームファインダを備えたカメラにおいて、特に至近距離撮影時におけるズームファインダの視野範囲と撮影画面のずれを減少ないし一致させること、これをズーミング可能な全ての領域で実現することを目的とする。
【課題を解決するための手段】
【０００７】
この目的を達成する本発明は、ズーミング駆動機構および該ズーミング駆動機構から独立したフォーカシング駆動機構を備えたズーム撮影レンズ系と、上記ズーミング駆動機構に連動してファインダ視野を変更するファインダ駆動機構を有するズームファインダ光学系を備えたカメラにおいて、上記フォーカシング駆動機構は、至近距離撮影域に入ったときに、上記ズーム撮影レンズ系のズーム状態に関わらず、上記ズームファインダ光学系の視野を広げる方向に上記ファインダ駆動機構を駆動する連動機構を備えたことに特徴を有する。
【０００８】
上記ファインダ駆動機構は、ズームファインダ光学系の変倍レンズ群のカムフォロワが嵌るファインダ駆動用カム溝を備え、該ファインダ駆動用カム溝は、上記カムフォロワを拘束する二つの輪郭が、別体として形成された二つのカム部のそれぞれに形成され、該二つのカム部は、上記ズーミング駆動機構に連動して移動する方向に上記カム部が相対的に接離移動可能に形成され、上記連動機構は、上記フォーカシング駆動機構の至近距離撮影領域における動作に連動して、上記一方のカム部を上記各輪郭が離反する方向に移動させて上記ズームファインダ光学系の視野を広げる構成とする。
【０００９】
上記両カム部は、弾性部材によって互いの輪郭が接近する方向に移動付勢されて所定間隔に保持され、上記ズーミング駆動機構からの駆動力は上記他方のカム部に伝達されて上記各カム部を一体に移動して上記ズームファインダ光学系の視野倍率を変更し、上記フォーカシング駆動機構の至近距離撮影領域における近距離方向の駆動力は、上記連動機構を介して上記一方のカム部に伝達されて該一方のカム部を上記弾性部材の付勢方向とは反対方向に移動させて上記ズームファインダ光学系の視野を広げる。
【００１０】
上記ズームファインダ光学系の変倍レンズは、該変倍レンズを支持する部材に設けられたカムフォロワが上記一方のカム部の輪郭に当接する方向に弾性部材によって付勢され、一方のカム部の輪郭に当接した状態で、上記一方のカム部の移動に従って移動してズームファインダ光学系の視野を広げる。
【００１１】
上記ファインダ光学系の光路内のピント面近傍位置と光路外に移動可能に支持された、至近距離撮影範囲を表示した補正視野枠と、上記フォーカシング駆動機構に連動して、上記至近距離撮影領域において上記補正視野枠をピント面近傍に挿入し、上記至近距離撮影領域外において上記補正視野枠を上記光路から待避させるマスク駆動機構を備えれば、さらにズームファインダ視野内における撮影範囲を正確に撮影者に知らせることができる。
なお、本発明において、ファインダ視野を変更することはファインダ視野倍率を変更することと同義であり、ファインダ視野を広げることとファインダ視野倍率を下げることと同義である。
【発明の効果】
【００１２】
本発明は、至近距離撮影領域に入ったときに、ズーム撮影レンズ系の状態に関わらず、ズームファインダ光学系の視野を広げる方向にファインダ駆動機構を駆動する連動機構を備えたので、全ズーム域において近距離撮影時のファインダ視野補正が可能になる。
【発明を実施するための最良の形態】
【００１３】
以下図面に基づいて本発明を説明する。図１は、本発明を適用したズームレンズを備えたレンズシャッタカメラの実施形態の正面図、図２から図５は同実施形態におけるズームレンズ（撮影光学系）およびファインダ（ファインダ光学系）のレンズ構成を示すもので、図２、図３はそれぞれ広角端、望遠端における断面図、図４、図５はそれぞれ広角端、望遠端における平面図である。
【００１４】
このレンズシャッタ式カメラは、カメラボディ１０１の正面の略中央にズームレンズ１１の鏡筒１０３が装着され、鏡筒１０３のほぼ直上にズームファインダ光学系２１の対物窓１０５が装着されている。したがってこのレンズシャッタ式カメラにおけるファインダパララックスは、ファインダ視野、撮影画面の上下方向に生じる。本発明の実施形態は、このレンズシャッタ式カメラの構造において生じる至近距離撮影時のファインダパララックスを補正する構成である。
【００１５】
ズームレンズ１１は、ズーミング用の前群レンズＬ１および後群レンズＬ２を備えていて、これら前群、後群レンズＬ１、Ｌ２は、図示しないズーミング駆動機構により、光軸に沿って相対的に接離移動され、ズーミングする。ズーミング駆動機構は、周知の通り、ズームモータによって回動されるズームカム環の回転によって前群、後群レンズＬ１、Ｌ２をいわゆる所定の移動軌跡で光軸方向に相対移動する構成である。
【００１６】
さらにこのズームレンズ１１は、詳細は図示しないが、ズーミング駆動機構とは独立したフォーカシング駆動機構（焦点調節機構）を備えている。このフォーカシング駆動機構は、ズームカム環の外側に嵌装されたフォーカシング駆動環１２を備え、フォーカシング駆動環１２の回転によって図示しないフォーカシングレンズ群を光軸に沿って移動させて焦点調節する構成である。なお、ズーミング駆動機構によるズーミングに際しては、フォーカシング駆動環１２は、回転しないで光軸に沿って直進移動する構成である。
【００１７】
ズームファインダ光学系２１は、変倍結像光学系として被写体側から順に、固定の第１ファインダレンズＦＬ１、可動の第２ファインダレンズＦＬ２および可動の第３ファインダレンズＦＬ３を備えている。第２、第３ファインダレンズＦＬ２、ＦＬ３は、直進ガイド機構（図示せず）によってレンズ光軸Ｏと平行に直線進退動自在にガイドされている。さらにこの実施例では、変倍結像光学系によって形成された被写体像を正立実像として観察する光学系として、正立プリズムＰおよびアイピースＦＬ４を備えている（図４、図５、図６参照）。この実施例では、第２、第３ファインダレンズＦＬ２、ＦＬ３がファインダ光軸に沿って相対的に接離移動することにより、ファインダ視野倍率を変更（ズーム）する。
なお、本実施例は、第３ファインダレンズＦＬ３から射出した被写体光束をミラーで反射して正立プリズムＰに導く構成であるが、主要構成を分かりやすく示すためにミラーの図示を省略した。
【００１８】
ファインダレンズＦＬ１、ＦＬ２、ＦＬ３の合成焦点面に視野板３０（図８参照）が配置されている。この視野板３０には、通常撮影時の撮影範囲を示す視野フレーム５１が表示されている。撮影者は、視野フレーム５１内に形成された被写体像を、正立プリズムＰおよびアイピースＦＬ４を介して観察できる。
本実施形態では、この視野板３０に近接した位置に、至近距離撮影時の至近距離補正視野枠３３を、フォーカシング駆動環１２の回転に連動させて出し入れ可能にしたことも特徴の一つとしている。図示実施例では、フォーカシング駆動環１２が至近距離の被写体に合焦する領域、つまり、至近距離撮影領域まで回転駆動されると、至近距離補正視野枠３３をファインダ光路内に進入させる。なお、通常撮影時、つまりフォーカシング駆動環１２が至近距離撮影領域よりも遠距離の撮影領域にある場合は至近距離補正視野枠３３をファインダ視野外に位置させる。
【００１９】
このズームファインダ光学系２１は、ズーミング駆動機構と連動して、第２、第３ファインダレンズＦＬ２、ＦＬ３を相対移動させて視野倍率を変更するファインダ駆動機構として、ファインダ駆動カム板２３を備えている。ファインダ駆動カム板２３は、第２、第３ファインダレンズＦＬ２、ＦＬ３を駆動する確動カム溝２３ａを備えている。この確動カム溝２３ａには、第２、第３ファインダレンズＦＬ２、ＦＬ３を支持する支持枠２６、２７に突設されたカムフォロワ２６ａ、２７ａがそれぞれ嵌合されている。なお、この確動カム溝２３ａは、カムフォロワ２６ａ用の輪郭およびカムフォロワ２７ａ用の輪郭を備えている。
【００２０】
そしてこのファインダ駆動カム板２３は、ズーム駆動機構のズーミング動作に連動して、カメラ正位置に対して横（水平）方向に移動し、確動カム溝２３ａの輪郭に沿ってカムフォロワ２６ａ、２７ａを光軸Ｏと平行に、相対的に直線接離移動させて、ファインダ視野倍率を変更する。
【００２１】
本実施例では、この確動カム溝２３ａの対向する輪郭が、二つの独立した部材により形成されていることに特徴を有する。つまり、第１カム輪郭２４ａを備えた第１ファインダ駆動カム部２４と、第２カム輪郭２５ａを備えた第２ファインダ駆動カム部２５の二つの部材で形成され、両第１、第２ファインダ駆動カム部２５、２６は、ズーミングに際しては一体として移動するように、かつ同移動方向に相対移動可能に形成されている。さらに第１、第２ファインダ駆動カム部２４、２５は、これらの間に装着されたばね２９によって、それぞれの係止部２４ｂ、２５ｂが当接した位置に付勢された状態で保持され、一体的に移動するように連係されている。このようにファインダ確動カム部２４、２５が一体的に連係された状態で、第１カム輪郭２４ａと第２カム輪郭２５ａによって確動カム溝２３ａが形成される。
【００２２】
第２、第３ファインダレンズＦＬ２、ＦＬ３は、図示しないバネによって、視野倍率が小さくなる方向、図では互いに離反する方向に付勢されている。そして各支持枠２６、２７に突設されたカムフォロワ２６ａ、２７ａは、バネによって第１カム輪郭２４ａに当接する方向に付勢され、第１カム輪郭２４ａに当接しして位置決めされている。
【００２３】
さらに、第１ファインダ駆動カム部２４には、ファインダ駆動カム板２３の移動方向と平行にファインダ駆動ラック２４ｃが形成されている。このファインダ駆動ラック２４ｃには、図示しないズーミング駆動機構のピニオンが噛み合っている。ズーミング駆動機構の動作に連動してピニオンが回転すると、第１ファインダ駆動カム部２４が第２ファインダ確動カム部２５が一緒に移動しする。すると、第１カム輪郭２４ａに移動規制されている第２、第３ファインダレンズＦＬ２、ＦＬ３が相対的に接離移動し、ファインダ視野倍率がズームレンズの焦点距離に追従して変化する。
【００２４】
フォーカシング駆動環１２の外周面には、ファインダ駆動用の第１レバー１２ａが固定されていて、この第１レバー１２ａの先端部が、ファインダ駆動カム板２３の裏面に形成された、幅広の逃げ溝２３ｄに進入している。逃げ溝２３ｄの側壁は、第１ファインダ確動カム部２４と第２ファインダ確動カム部２５の端縁部２４ｄ、２５ｄにより規制されている。逃げ溝２３ｄは、ズーミング動作および通常撮影領域におけるオートフォーカス動作には第１レバー１２ａが端縁部２４ｄ、２５ｄの何れにも接触しないフリー状態となるように形成されている。
【００２５】
ここで、フォーカシング駆動環１２が至近距離撮影領域まで回転すると第１レバー１２ａが端縁部２５ｄに当接する。フォーカシング駆動環１２がさらに至近距離撮影方向に回転すると、第１レバー１２ａが端縁部２５ｄに当接し、摺接しながら押圧して、ばね２９の付勢力に抗して端縁部２５ｄが端縁部２４ｄから離反する方向に第２ファインダ駆動カム部２５を移動させる。この移動により第２カム輪郭２５ａも同方向に移動するので、第２カム輪郭２５ａによって移動規制されていたカムフォロワ２６ａ、２７ａが、したがって第２、第３ファインダレンズＦＬ２、ＦＬ３がばねの付勢力によって第２カム輪郭２５ａとの接触状態を維持する方向に移動する。この移動方向がファインダ視野を広げる方向である。つまり、フォーカシング駆動環１２が至近距離撮影領域まで回転すると、ズームファインダ光学系２１の視野倍率を下げて視野を広げる、至近距離撮影視野補正動作を実行する。
【００２６】
この至近距離撮影視野補正動作における第２ファインダ駆動カム部２５の移動量は、至近距離撮影における撮影範囲に対するファインダ視野範囲のパララックスの方向およびその量に応じて設定するのが望ましい。この実施例では移動量を、撮影範囲の短辺下側とファインダ視野範囲の短辺下側が一致する量に設定してある（図８参照）。
【００２７】
本実施形態では、フォーカシング駆動環１２が通常撮影領域にある状態でズーミングしても第１レバー１２ａが端縁部２４ｄ、２５ｄに拘束されないように端縁部２４ｄ、２５ｄの間隔および輪郭を設定してある。しかも、ズーム領域のいかなる位置においても、フォーカシング駆動環１２が至近距離撮影領域まで回転すると、第１レバー１２ａが端縁部２５ｄに摺接して至近距離撮影補正方向に移動させるように、端縁部２５ｄ、２４ｄの輪郭および間隔を設定してある。
【００２８】
さらに本実施形態では、至近距離撮影における視野フレーム５１と撮影画面５３との一致度をより高めるための至近距離補正視野枠３３を備えている。この至近距離補正視野枠３３は、通常撮影距離においてはファインダ光路外に退避していて、フォーカシング駆動環１２が至近距離撮影領域に移動したときに、ピント板３１の近傍に挿入され、至近距離視野フレーム５２をファインダ視野内に表示するように構成されている（図８、図９参照）。
この実施形態の至近距離補正視野枠３３は、至近距離補正視野枠３３と一体に形成されたレバー３５に支持されていて、レバー３５の先端部において軸３６を介してカメラボディに回動自在に軸支されている。そうして至近距離補正視野枠３３は、軸３６を中心に回動して、ファインダ光路外とファインダ光路内の二つの位置に移動する。
【００２９】
軸３６の近傍であって、フォーカシング駆動環１２の側方には、視野枠連動板３７が配置されている。この視野枠連動板３７は、カメラの正位置において上下方向に移動自在に支持されている。視野枠連動板３７の上縁部には、軸３６の近傍のカム部３５ａに当接可能な突起３７ａが突設され、視野枠連動板３７の下端縁部には、光軸と平行に直線的に延びる連動縁部３７ｂが形成されている。
【００３０】
フォーカシング駆動環１２が至近距離撮影領域まで回転したときに第２レバー１２ｂが連動縁部３７ｂに当接し、視野枠連動板３７を押し上げる。視野枠連動板３７が上昇したときに突起３７ａがカム部３５ａに当接して押し上げてレバー３５を回動させ、至近距離補正視野枠３３をファインダ光路内に移動させる。至近距離補正視野枠３３および視野枠連動板３７は、図示しないバネにより至近距離補正視野枠３３がファインダ光路内から待避する方向に付勢されている。
第２レバー１２ｂは、通常撮影距離域におけるズーミングおよびオートフォーカス動作には連動縁部３７ｂに当接しないように設定してある。つまり、第２レバー１２ｂは、通常撮影域では突起３７ａと接触しない状態を保持して回動および進退動する。この非接触状態で至近距離補正視野枠３３は、ファインダ光路外に待避している。
【図面の簡単な説明】
【００３１】
【図１】本発明を適用したズームレンズ搭載のレンズシャッタカメラの実施例の正面図である。
【図２】同レンズシャッタカメラのズームレンズおよびズームファインダの光学系を広角状態で示す、図４の切断線II-IIに沿う断面図である。
【図３】同レンズシャッタカメラのズームレンズおよびズームファインダの光学系を望遠状態で示す、図５の切断線III-IIIに沿う断面図である。
【図４】同レンズシャッタカメラのズームファインダの光学系を広角状態で示す平面図である。
【図５】同レンズシャッタカメラのズームファインダの光学系を望遠状態で示す平面図である。
【図６】同レンズシャッタカメラのズームファインダの光学系を至近距離撮影状態で示す平面図である。
【図７】同レンズシャッタカメラのズームファインダの要部を示す、図５の切断線VII-VIIに沿う断面図である。
【図８】同ズームファインダの至近距離補正視野枠の駆動機構を示す図である。
【図９】同レンズシャッタカメラの至近距離撮影時におけるファインダ視野と撮影画面との関係を示す図である。
【図１０】従来のレンズシャッタカメラの至近距離撮影時におけるファインダ視野と撮影画面との関係を示す図である。
【符号の説明】
【００３２】
１１  ズームレンズ
１２  フォーカシング駆動環
１２ａ  第１レバー
１２ｂ  第２レバー
２１  ズームファインダ光学系
２３  ファインダ駆動カム板
２３ａ  確動カム溝
２３ｄ  逃げ溝
２４  第１ファインダ駆動カム部
２４ａ  第１カム輪郭
２４ｂ  係止部
２４ｃ  ファインダ駆動ラック
２４ｄ  端縁部
２５  第２ファインダ駆動カム部
２５ａ  第２カム輪郭
２５ｂ  係止部
２５ｄ  端縁部
２６  ２７  支持枠
２６ａ  ２７ａ  カムフォロワ
２９  ばね
３１  ピント板
３３  至近距離補正視野枠
３５  レバー
３５ａ  カム部
３６  軸
３７  視野枠連動板
３７ａ  突起
３７ｂ  連動縁部
５０  視野板
５１  視野フレーム
５２  至近距離視野フレーム
Ｌ１  前群レンズ
Ｌ２  後群レンズ
ＦＬ１  第１ファインダレンズ
ＦＬ２  第２ファインダレンズ
ＦＬ３  第３ファインダレンズ
【図１】
2006072264.tif 000003
【図２】
2006072264.tif 000004
【図３】
2006072264.tif 000005
【図４】
2006072264.tif 000006
【図５】
2006072264.tif 000007
【図６】
2006072264.tif 000008
【図７】
2006072264.tif 000009
【図８】
2006072264.tif 000010
【図９】
2006072264.tif 000011
【図１０】
2006072264.tif 000012